(57)【特許請求の範囲】
【請求項１】
制御部と記憶部とを備え、
重送検知機構と画像読取機構とに接続され、
前記記憶部は、前記重送検知機構で重送が検知された媒体における、重なり開始位置と重なり長、または前記重なり長、または媒体長と当該媒体長に対する前記重なり長の割合についての重送検知パターンを、前記重送検知機構での重送検知を無効とする重送無効パターンとして記憶し、
前記制御部は、
前記重送検知機構で重送が検知された場合には、前記重送検知機構の出力および／または前記画像読取機構で読み取られた前記媒体の画像から、前記重送検知パターンを計測する計測手段と、
前記計測手段で計測した前記重送検知パターンが、前記記憶部に記憶された前記重送無効パターンに含まれるか否かを判定する判定手段と、
前記判定手段で含まれると判定した場合には、前記重送検知機構での前記重送検知を無効と見做して前記画像読取機構に読取動作を継続させる読取制御手段と、
前記判定手段で含まれないと判定した場合には、前記計測手段で計測した前記重送検知パターンを前記重送無効パターンとして前記記憶部へ記憶する記憶制御手段と、
を備えたことを特徴とする重送処理装置。
【請求項２】
入力部と出力部とにさらに接続され、
前記制御部は、
前記判定手段で含まれないと判定した場合には、前記重送検知機構での前記重送検知を通知する通知情報を前記出力部へ出力する出力制御手段
をさらに備え、
前記記憶制御手段は、前記出力制御手段で出力した前記通知情報に対して前記入力部から指示を受けた場合には、前記計測手段で計測した前記重送検知パターンを前記重送無効パターンとして前記記憶部へ記憶すること、
を特徴とする請求項１に記載の重送処理装置。
【請求項３】
制御部と記憶部とを備え、重送検知機構と画像読取機構とに接続された重送処理装置の前記制御部で実行される、
前記重送検知機構で重送が検知された場合には、前記重送検知機構の出力および／または前記画像読取機構で読み取られた媒体の画像から、重なり開始位置と重なり長、または前記重なり長、または媒体長と当該媒体長に対する前記重なり長の割合についての重送検知パターンを計測する計測ステップと、
前記計測ステップで計測した前記重送検知パターンが、前記記憶部に記憶された、前記重送検知機構での重送検知を無効とする前記重送検知パターンである重送無効パターンに含まれるか否かを判定する判定ステップと、
前記判定ステップで含まれると判定した場合には、前記重送検知機構での前記重送検知を無効と見做して前記画像読取機構に読取動作を継続させる読取制御ステップと、
前記判定ステップで含まれないと判定した場合には、前記計測手段で計測した前記重送検知パターンを前記重送無効パターンとして前記記憶部へ記憶する記憶制御ステップと、
を含むことを特徴とする重送処理方法。
【請求項４】
制御部と記憶部とを備え、重送検知機構と画像読取機構とに接続された重送処理装置の前記制御部に実行させるための、
前記重送検知機構で重送が検知された場合には、前記重送検知機構の出力および／または前記画像読取機構で読み取られた媒体の画像から、重なり開始位置と重なり長、または前記重なり長、または媒体長と当該媒体長に対する前記重なり長の割合についての重送検知パターンを計測する計測ステップと、
前記計測ステップで計測した前記重送検知パターンが、前記記憶部に記憶された、前記重送検知機構での重送検知を無効とする前記重送検知パターンである重送無効パターンに含まれるか否かを判定する判定ステップと、
前記判定ステップで含まれると判定した場合には、前記重送検知機構での前記重送検知を無効と見做して前記画像読取機構に読取動作を継続させる読取制御ステップと、
前記判定ステップで含まれないと判定した場合には、前記計測手段で計測した前記重送検知パターンを前記重送無効パターンとして前記記憶部へ記憶する記憶制御ステップと、
を含むことを特徴とする重送処理プログラム。
【発明の詳細な説明】
【技術分野】
【０００１】
本発明は、画像読取装置（例えばスキャナ、コピー機、ファクシミリなど）の重送（マルチフィード）検知機能による重送検知結果を処理する重送処理装置、重送処理方法および重送処理プログラムに関する。
【背景技術】
【０００２】
超音波センサを用いた重送検知機能を備えた読取装置（例えば特許文献１など）において、当該重送検知機能が有効な状態のときには、用紙内に貼られた付箋紙なども重送と認識されて読取動作が止まってしまう場合がある。
【０００３】
上記した場合を回避する手段として、重送検知を無効とする長さをスキャナ上のパネルから読取開始前に予め設定させる技術が特許文献２に開示され、また重送検知を無効とする開始位置と終了位置をスキャナと接続されたパーソナルコンピュータ上の画面から読取開始前に予め設定させる技術が非特許文献１に開示されている。
【先行技術文献】
【特許文献】
【０００４】
【特許文献１】特開２００４−２６９２４１号公報
【特許文献２】米国特許出願公開第２００５／０２２８５３５号明細書
【非特許文献】
【０００５】
【非特許文献１】キャノン株式会社のホームページ内に公開されているスキャナ「ＤＲ−Ｘ１０Ｃ」のユーザーマニュアル（機能詳細編）「ｈｔｔｐ：／／ｃｗｅｂ．ｃａｎｏｎ．ｊｐ／ｍａｎｕａｌ／ｄｒ／ｐｄｆ／ｄｒｘ１０ｃ−ｕｓｅｒｍａｎｕａｌ２．ｐｄｆ」
【発明の概要】
【発明が解決しようとする課題】
【０００６】
しかしながら、従来技術によれば、重送検知を無効とする長さや位置の寸法をユーザが計測して入力するといった煩わしい作業や操作が必要である、という問題点があった。
【０００７】
本発明は、上記に鑑みてなされたものであって、ユーザに煩わしい作業や操作をさせることなく、重送検知機能で重送が検知されたときの操作性を改善することができる重送処理装置、重送処理方法および重送処理プログラムを提供することを目的とするものである。
【課題を解決するための手段】
【０００８】
上述した課題を解決し、目的を達成するために、本発明に係る重送処理装置は、制御部と記憶部とを備え、重送検知機構と画像読取機構とに接続され、前記記憶部は、前記重送検知機構で重送が検知された媒体における、重なり開始位置と重なり長、または前記重なり長、または媒体長と当該媒体長に対する前記重なり長の割合についての重送検知パターンを、前記重送検知機構での重送検知を無効とする重送無効パターンとして記憶し、前記制御部は、前記重送検知機構で重送が検知された場合には、前記重送検知機構の出力および／または前記画像読取機構で読み取られた前記媒体の画像から、前記重送検知パターンを計測する計測手段と、前記計測手段で計測した前記重送検知パターンが、前記記憶部に記憶された前記重送無効パターンに含まれるか否かを判定する判定手段と、前記判定手段で含まれると判定した場合には、前記重送検知機構での前記重送検知を無効と見做して前記画像読取機構に読取動作を継続させる読取制御手段と、前記判定手段で含まれないと判定した場合には、前記計測手段で計測した前記重送検知パターンを前記重送無効パターンとして前記記憶部へ記憶する記憶制御手段と、を備えたことを特徴とする。
【０００９】
また、本発明に係る重送処理装置は、前記に記載の重送処理装置において、入力部と出力部とにさらに接続され、前記制御部は、前記判定手段で含まれないと判定した場合には、前記重送検知機構での前記重送検知を通知する通知情報を前記出力部へ出力する出力制御手段をさらに備え、前記記憶制御手段は、前記出力制御手段で出力した前記通知情報に対して前記入力部から指示を受けた場合には、前記計測手段で計測した前記重送検知パターンを前記重送無効パターンとして前記記憶部へ記憶すること、を特徴とする。
【００１０】
また、本発明は重送処理方法に関するものであり、本発明に係る重送処理方法は、制御部と記憶部とを備え、重送検知機構と画像読取機構とに接続された重送処理装置の前記制御部で実行される、前記重送検知機構で重送が検知された場合には、前記重送検知機構の出力および／または前記画像読取機構で読み取られた媒体の画像から、重なり開始位置と重なり長、または前記重なり長、または媒体長と当該媒体長に対する前記重なり長の割合についての重送検知パターンを計測する計測ステップと、前記計測ステップで計測した前記重送検知パターンが、前記記憶部に記憶された、前記重送検知機構での重送検知を無効とする前記重送検知パターンである重送無効パターンに含まれるか否かを判定する判定ステップと、前記判定ステップで含まれると判定した場合には、前記重送検知機構での前記重送検知を無効と見做して前記画像読取機構に読取動作を継続させる読取制御ステップと、前記判定ステップで含まれないと判定した場合には、前記計測手段で計測した前記重送検知パターンを前記重送無効パターンとして前記記憶部へ記憶する記憶制御ステップと、を含むことを特徴とする。
【００１１】
また、本発明は重送処理プログラムに関するものであり、本発明に係る重送処理プログラムは、制御部と記憶部とを備え、重送検知機構と画像読取機構とに接続された重送処理装置の前記制御部に実行させるための、前記重送検知機構で重送が検知された場合には、前記重送検知機構の出力および／または前記画像読取機構で読み取られた媒体の画像から、重なり開始位置と重なり長、または前記重なり長、または媒体長と当該媒体長に対する前記重なり長の割合についての重送検知パターンを計測する計測ステップと、前記計測ステップで計測した前記重送検知パターンが、前記記憶部に記憶された、前記重送検知機構での重送検知を無効とする前記重送検知パターンである重送無効パターンに含まれるか否かを判定する判定ステップと、前記判定ステップで含まれると判定した場合には、前記重送検知機構での前記重送検知を無効と見做して前記画像読取機構に読取動作を継続させる読取制御ステップと、前記判定ステップで含まれないと判定した場合には、前記計測手段で計測した前記重送検知パターンを前記重送無効パターンとして前記記憶部へ記憶する記憶制御ステップと、を含むことを特徴とする。
【００１２】
また、本発明は記録媒体に関するものであり、本発明に係るコンピュータ読み取り可能な記録媒体は、前記に記載の本発明に係る重送処理プログラムを記録したことを特徴とする。
【発明の効果】
【００１３】
本発明によれば、（１）重送検知機構で重送が検知された場合には、重送検知機構の出力および／または画像読取機構で読み取られた媒体の画像から、重送検知パターン（「重なり開始位置と重なり長」、「重なり長」または「媒体長と媒体長に対する重なり長の割合」）についての重送検知パターンを計測し、（２）計測した重送検知パターンが記憶部に記憶された重送無効パターン（重送検知機構での重送検知を無効とする重送検知パターン）に含まれるか否かを判定し、（３）含まれると判定した場合には、重送検知機構での重送検知を無効と見做して画像読取機構に読取動作を継続させ、（４）含まれないと判定した場合には、計測した重送検知パターンを重送無効パターンとして記憶部へ記憶する。これにより、ユーザに煩わしい作業や操作をさせることなく、重送検知機能で重送が検知されたときの操作性を改善することができるという効果を奏する。具体的には、これまでのように事前にスキャナのパネルやパーソナルコンピュータ上のツール等で重送の無効領域を入力して設定するという煩わしさがなくなり、重送発生時の操作性を改善することができるという効果を奏する。
【００１４】
また、本発明によれば、（４−１）含まれないと判定した場合には、重送検知機構での重送検知を通知する通知情報を出力部へ出力し、（４−２）出力した通知情報に対して入力部から指示を受けた場合には、計測した重送検知パターンを重送無効パターンとして記憶部へ記憶する。これにより、入力部から指示するという簡単な操作だけで、重送の無効パターンを記憶させることができるという効果を奏する。具体的には、入力部としての指定ボタンを押下するだけという簡単操作で、重送発生時の操作性を改善することができるという効果を奏する。
【図面の簡単な説明】
【００１５】
【図１】図１は、本実施形態に係る画像読取装置の構成の一例を示す図である。
【図２】図２は、本実施形態に係る画像読取装置の具体例であるスキャナの構成を示す図である。
【図３】図３は、図２に示すスキャナに含まれる重送処理ユニットおよび重送検知ユニットの構成の一例を示す図である。
【図４】図４は、重送処理ユニットで行われる本実施形態のメイン処理の一例を示すフローチャートである。
【図５】図５は、モード１の場合の計測処理の一例を示す図である。
【図６】図６は、モード２の場合の計測処理の一例を示す図である。
【図７】図７は、モード３の場合の計測処理の一例を示す図である。
【図８】図８は、モード１の場合の比較処理の一例を示す図である。
【図９】図９は、モード２の場合の比較処理の一例を示す図である。
【図１０】図１０は、モード３の場合の比較処理の一例を示す図である。
【発明を実施するための形態】
【００１６】
以下に、本発明に係る重送処理装置、重送処理方法及び重送処理プログラムの実施形態を図面に基づいて詳細に説明する。なお、本実施形態により本発明が限定されるものではない。特に、本実施形態では、当該重送処理装置が画像読取装置に実装されている（組み込まれている）場合を一例として説明するが、当該重送処理装置は画像読取装置と通信可能に接続された情報処理装置（パーソナルコンピュータ）に実装されてもよい。
【００１７】
［１．本実施形態の構成］
ここでは、本実施形態に係る画像読取装置１００の構成について、図１から図３を参照して詳細に説明する。
【００１８】
［１−１．構成の概要］
まず、本実施形態に係る画像読取装置１００の構成の概要について、図１を参照して説明する。図１は、本発明に係る重送処理装置の適用される本実施形態に係る画像読取装置の構成の概要を示す図である。
【００１９】
画像読取装置１００は、機能概念的に、本発明に係る重送処理装置に相当する重送処理ユニット１０２と入力部１０８と出力部１１０と重送検知ユニット（機構）１１２と画像読取ユニット（機構）１１４とを備えており、これら各部は任意の通信路を介して通信可能に接続されている。
【００２０】
入力部１０８は、後述する計測部１０４ａで計測した重送検知パターンの記憶をユーザに指示させるためのものであり、具体的には操作ボタン（記憶指示ボタン）である。出力部１１０は、重送検知ユニット１１２での重送検知を通知する通知情報を表示するためのものであり、具体的にはディスプレイである。
【００２１】
重送検知ユニット１１２は、搬送された用紙の重送を検知するための機構であり、例えば、用紙の厚みを超音波で検知する超音波センサ（ハードウェア）や当該超音波センサの出力から重送であるかを検知する処理部（ソフトウェア）などを含むものである。なお、重送検知ユニット１１２の構成の具体例については、後述する［１−２．構成の具体例］にて詳細に説明する。画像読取ユニット１１４は、搬送された用紙を読み取って、当該用紙の画像を生成するための機構である。
【００２２】
重送処理ユニット１０２は、図示の如く、機能概念的に、制御部１０４と記憶部１０６とを備える。記憶部１０６は、各種のデータベースやテーブルやファイルなどを格納する。記憶部１０６は、ストレージ手段であり、例えばＲＡＭ・ＲＯＭ等のメモリ装置や、ハードディスクのような固定ディスク装置、フレキシブルディスク、光ディスク等を用いることができる。記憶部１０６は、図示の如く、重送無効パターンファイル１０６ａを記憶する。重送無効パターンファイル１０６ａは、後述する計測部１０４ａで計測した重送検知パターンを、重送検知ユニット１１２での重送検知を無効とする重送無効パターンとして格納する。
【００２３】
制御部１０４は、画像読取装置１００を制御するＣＰＵ等を備える。制御部１０４は、ＯＳ等の制御プログラムと各種の処理手順等を規定したプログラムと所要データとを格納するための内部メモリを備え、これらプログラムに基づいて種々の処理を実行するための情報処理を行う。制御部１０４は、機能概念的に、計測部１０４ａと判定部１０４ｂと読取制御部１０４ｃと出力制御部１０４ｄと記憶制御部１０４ｅとを備える。
【００２４】
計測部１０４ａは、搬送された用紙について重送検知ユニット１１２にて重送が検知された場合、重送検知ユニット１１２の出力（具体的には、重送検知ユニット１１２に含まれている超音波センサの出力）および／または搬送された用紙について画像読取ユニット１１４で読み取られた当該用紙の画像から、予め指定された計測モード（モード１、モード２、モード３のいずれか）に従って、検知されたそれぞれの重なり領域ごとに、モード１が指定されているときは「重なり開始位置、および重なり長」を計測し、モード２が指定されているときは「重なり長」を計測し、モード３が指定されているときは「用紙長、および用紙長に対する重なり長の割合」を、重送検知パターンとして計測する。
【００２５】
判定部１０４ｂは、計測部１０４ａで計測した重送検知パターンと、重送無効パターンファイル部１０６ａに格納されている重送無効パターンを比較して、計測部１０４ａで計測した重送検知パターンが重送無効パターンに含まれるか否かを判定する。具体的には、判定部１０４ｂは、モード１が指定されているときは、計測部１０４ａで計測した重なり開始位置および重なり長についての重送検知パターンが重送無効パターンと一致するか（同じであるか）否かを判定する。また、判定部１０４ｂは、モード２が指定されているときは、計測部１０４ａで計測した重なり長についての重送検知パターンが重送無効パターンの重なり長以下であるか否かを判定する。また、判定部１０４ｂは、モード３が指定されているときは、計測部１０４ａで計測した用紙長および当該用紙長に対する重なり長の割合についての重送検知パターンが重送無効パターンと一致するか（同じであるか）否かを判定する。
【００２６】
読取制御部１０４ｃは、画像読取ユニット１１４での用紙の読取開始および読取終了を制御する。また、読取制御部１０４ｃは、判定部１０４ｂで「一致する（同じである）」または「以下である」と判定した場合には、重送検知ユニット１１２での重送検知を無効と見做して、画像読取ユニット１１４での用紙の読取動作を停止させずに読取動作を継続させる。また、読取制御部１０４ｃは、エラーロジックとして「エラー停止モード」が予め設定されている場合には画像読取ユニット１１４に用紙の読取動作を停止させ、そうでない場合には画像読取ユニット１１４での用紙の読取動作を停止させずに継続させる。
【００２７】
出力制御部１０４ｄは、判定部１０４ｂで「一致しない（同じでない）」または「以下でない」と判定した場合には、重送検知ユニット１１２での重送検知を通知する通知情報を出力部１１０へ出力する。
【００２８】
記憶制御部１０４ｅは、判定部１０４ｂで「一致しない（同じでない）」または「以下でない」と判定した場合には、計測部１０４ａで計測した重送検知パターン（具体的には、モード１のときは重なり開始位置および重なり長、モード２のときは重なり長の最大値（最大重なり長）、モード３のときは用紙長および用紙長に対する重なり長の割合）を、重送無効パターンとして重送無効パターンファイル１０６ａの所定の記憶領域に格納する。また、記憶制御部１０４ｅは、出力制御部１０４ｄで出力した通知情報に対しユーザにより入力部１０８から指示を受けた（具体的にはユーザにより記憶指示ボタンが押下された）場合には、計測部１０４ａで計測した重送検知パターンを、重送無効パターンとして重送無効パターンファイル１０６ａの所定の記憶領域に格納する。
【００２９】
［１−２．構成の具体例］
つぎに、上述した画像読取装置１００の構成の具体例について、図２および図３を参照して詳細に説明する。なお、ここでは、画像読取装置がスキャナである場合の具体的構成について説明するが、画像読取装置としてはスキャナに限らずコピー機、ファクシミリ等に適用することができる。
【００３０】
図２は、画像読取装置１００としてのスキャナ（以下、スキャナ１００と記す場合がある。）の断面の概略を示す図であり、上述した重送処理ユニット１０２、入力部１０８、出力部１１０、重送検知ユニット１１２および画像読取ユニット１１４の適用されるスキャナの構成の概略を示す。
【００３１】
スキャナ１００は、図２に示すように、用紙載置台（シュータ）３１、ピックローラ３２、ピックアーム３３、分離パッド３４、フィードローラ３５、３６、排出ローラ３７、３８を備え、また、重送検知ユニット１１２に対応する後述する超音波検知器の送信側超音波センサ１７、受信側超音波センサ１８を備える。スキャナ１００は、図２に示すように、入力部としての記憶指示ボタン１０８、出力部としてのディスプレイ１１０を備える。また、図２において、２点鎖線は用紙Ａの搬送路を示し、矢印Ｒは用紙Ａの読取位置を示す。
【００３２】
用紙載置台（シュータ）３１上に載置された用紙Ａは、ピックアーム３３により適切な押圧力を付与された状態で、ピックローラ３２によりピックされる。この時、用紙Ａは、ピックローラ３２及び分離パッド３４により、下側から順に１枚づつに分離される。ピックされた用紙Ａは、更に、ピックローラ３２によりフィードローラ３５、３６へ搬送され、フィードローラ３５、３６により読取位置に搬送され、この読取位置で画像読取ユニット１１４により読み取られ、排出ローラ３７、３８により排出される。用紙Ａを前記搬送路に沿って搬送する過程で、分離パッド３４によっても１枚に分離されなかった複数枚（通常は２枚）の即ちマルチフィードされた用紙Ａが、送信側超音波センサ１７、受信側超音波センサ１８で検出される。このために、送信側超音波センサ１７、受信側超音波センサ１８は、図２に示すように、画像読取ユニット１１４が用紙を読み取る際の読取位置よりも搬送路において上流に設けられる。特に、フィードローラ３５、３６の下流又は上流に設けられる。
【００３３】
図３は、重送処理ユニット１０２および重送検知ユニット１１２の具体的構成の一例を示す図である。図３において、重送検知ユニット１１２に対応する超音波検知器は、超音波を用いて複数の用紙Ａの搬送を検知する。超音波検知器は、送信側超音波センサ１７と、その駆動回路（送信側回路、以下同じ）４１と、受信側超音波センサ１８と、複数の用紙Ａの搬送（マルチフィード）の検知における閾値を設定する設定手段（２６）と、複数の用紙Ａの搬送を検知する検知手段（２６）とを備える。
【００３４】
送信側超音波センサ１７は超音波を出力する。駆動回路４１は、送信側超音波センサ１７に対してこれを駆動する駆動信号を供給する。駆動回路４１は、送信側超音波センサ１７の共振周波数近傍の周波数で発振する回路（ＯＮ／ＯＦＦ制御可能）で構成される。受信側超音波センサ１８は、送信側超音波センサ１７と用紙搬送路を挟んで対向して設けられ、超音波を受ける。設定手段は、駆動回路４１により送信側超音波センサ１７の出力を停止した場合における受信側超音波センサ１８の出力を基準値として、複数の用紙Ａの搬送の検知における閾値を設定する。検知手段は、受信側超音波センサ１８の出力と閾値とを比較して、複数の用紙Ａの搬送を検知する。
【００３５】
超音波検知器は、更に、（１段目の）増幅回路２１、ＢＰＦ（Ｂａｎｄ  Ｐａｓｓ  Ｆｉｌｔｅｒ）２２、（２段目の）増幅回路２３、サンプルホールド（Ｓ＆Ｈ）回路２４、ＡＤコンバータ２５、ＣＰＵ２６、モータドライバ２７、モータ２８、ＲＯＭ２９、ＲＡＭ３０を備える。これらは、受信側回路を構成する。即ち、受信側超音波センサ１８が送信側超音波センサ１７から受信した超音波に応じた電気信号を出力し、これを増幅回路２１で増幅した後にＢＰＦでノイズを除去し、この後、更に、ノイズ除去後の信号を増幅回路２３で増幅する。そして、サンプルホールド回路２４が当該信号のピーク値をサンプルアンドホールド（ＳＨ）した後、当該値（アナログ信号）をＡＤコンバータ２５でデジタル値（デジタル信号）に変換する。このデジタル信号（入力信号）をＣＰＵ２６（の設定手段及び検知手段）に入力して解析する。即ち、ＣＰＵ２６上に設定及び検知処理プログラム（及びハードウェア）により実現される設定手段及び検知手段により、前記入力信号を解析する。当該設定及び検知処理プログラムや重送処理プログラムは、例えばＲＯＭ２９及び／又はＲＡＭ３０に格納される。ＣＰＵ２６（即ち、検知手段）は、例えばマルチフィード検出の場合、モータドライバ２７に駆動信号を送信し、モータ２８を駆動させ、（複数の）用紙Ａの搬送を停止させる。ＣＰＵ２６は、重送検知ユニット１１２の設定手段や検知手段の他、重送処理ユニット１０２の制御部１０４の各処理部（計測部１０４ａ〜記憶制御部１０４ｅ）を含んでいる。ＲＡＭ３０は、重送処理ユニット１０２の記憶部１０６の重送無効パターンファイル１０６ａを格納している。検知手段で複数の用紙の搬送が検知されると、その情報は上述した重送処理ユニット１０２の計測部１０４ａに入力され、計測部１０４ａは上述した重送検知パターンの計測を開始する。
【００３６】
超音波検知器は、送信側回路（駆動回路）４１を備える。送信側回路４１は、駆動ＩＣ、抵抗周波数調整発振器（ＯＳＣ）、可変抵抗器から構成される。駆動ＩＣは、送信側超音波センサ１７に対してこれを駆動する駆動信号を供給する駆動回路である。これにより、送信側超音波センサ１７が超音波を出力する。この超音波を受信側超音波センサ１８が受信して、当該受信した超音波の強度に応じて検出信号を出力する。例えば、用紙Ａが送信側超音波センサ１７と受信側超音波センサ１８との間に存在しない場合、受信側超音波センサ１８は、あるレベル（通常レベル）の信号を検出し、用紙Ａが１枚存在する場合、通常レベルより小さく所定の閾値よりは大きいレベル（正常レベル）の信号を検出し、用紙Ａが２枚（以上）存在する場合、通常レベル及び前記閾値よりも小さいレベル（異常レベル）の信号を検出する。例えば、用紙Ａの搬送に先立って、受信側超音波センサ１８が通常レベルの信号（実際には、通常レベルと等しいか又はより大きい信号）を検出するように、駆動ＩＣの制御が行なわれる。即ち、受信側超音波センサ１８が受信した超音波に基づき、可変抵抗器を用いることなく、駆動信号の駆動周波数が送信側超音波センサ１７の共振周波数に合うように、駆動ＩＣを制御する。
【００３７】
設定手段は、駆動回路４１により送信側超音波センサ１７の出力を停止した場合における受信側超音波センサ１８の出力を基準値として、複数の用紙Ａの搬送の検知における閾値を設定する（生成する）。閾値は、送信側超音波センサ１７の出力を停止した場合における受信側超音波センサ１８の出力（受信側超音波センサ１８からの入力信号の平均値）に固定の値（補正値）を加えることにより求める。即ち、ＣＰＵ２６（のセンサ制御手段）が、送信側回路４１へ制御信号を送信し、送信側回路４１の発振を停止させる。また、ＣＰＵ２６（のセンサ制御手段）が、増幅回路２３（の演算増幅器）に所定のバイアス電圧を加える。この状態で、ＣＰＵ２６（の生成手段）が、ＡＤコンバータ２５から受信側超音波センサ１８からの入力信号を数十回、例えば３２回繰り返して受信し、その平均値を算出してこれを基準値とする。即ち、例えば１ラスタ内における３２ポイントでの信号を計測する。そして、ＣＰＵ２６（の生成手段）は、基準値に補正値を加える補正をして閾値を生成し、これをＣＰＵ２６（のレジスタ）に格納する。ここで、補正値は、ノイズなどの影響を考慮して、設置される装置ごとに経験的に決定される。なお、予め補正値の値を決定しておくようにしてもよく、また、超音波センサの感度・音圧バラツキ、取付バラツキ、環境、紙粉付着などの影響を考慮し、装置ごとに可変値としてその都度決定してもよい。
【００３８】
検知手段は、受信側超音波センサ１８の出力と閾値とを比較して、複数の用紙Ａの搬送を検知する。ＣＰＵ２６（のセンサ制御手段）において、送信側回路４１等へ制御信号を送信し、送信側回路４１を発振させる。また、ＣＰＵ２６（のセンサ制御手段）が増幅回路２３（の演算増幅器）に所定のバイアス電圧を加える。この状態でＣＰＵ２６（の比較手段）が、ＡＤコンバータ２５から受信側超音波センサ１８からの入力信号（デジタル値）を数十回、例えば３２回繰り返して受信して保持する。この時、送信側回路４１の発振（送信側駆動パルス）を停止させた上で、複数の所定の位置、例えば３２個のポイントでの信号を計測する。計測の位置は、例えば１ラスタ毎に１回、又は複数のラスタ毎に１回とされる。また、受信側超音波センサ１８の出力波形が次第に大きくなって最大の値となった場合におけるその最大値をサンプルしてホールドする。つぎに、ＣＰＵ２６（のセンサ制御手段又は比較手段）が、ＳＨ割り込みでのタイマーセットを行い、割り込みが発生したかを判断する。ＳＨ割り込みは、例えば、前述のように３２個の入力信号を得る場合、３２回発生するようにされる。即ち、ＳＨ割り込みを契機として、送信側の連続した駆動パルスが出力される。例えば、１ラスタ毎に１回、３２回のＳＨ割り込みが所定の時間の経過と共に発生する。割り込みが発生していない場合、前述した割り込み発生の判断を繰り返す。割り込みが発生した場合、先に受信して保持した３２個の値の平均値、例えば移動平均値を算出して、これをマルチフィード（ＭＦ）検出のための入力信号の値とする。この後、ＣＰＵ２６（の比較手段）が、入力信号の値とレジスタの閾値とを比較し、入力信号の値が閾値以上の場合、正常給紙であると判断し、入力信号の値が閾値未満の場合、この場合である回数が所定の回数、例えば１０回以上か否かを判断し、１０回以上である場合にはマルチフィードが発生したと判断してエラー信号を出力し、１０回以上でない場合には前述したタイマーセット以下の処理を繰り返す。そして、エラー信号は、ＣＰＵ２６に含まれる上述した計測部１０４ａに入力される。
【００３９】
［２．本実施形態の処理］
上述した構成の画像読取装置１００の重送処理ユニット１０２で行われるメイン処理の一例について、図４等を参照して説明する。図４は、メイン処理の一例を示すフローチャートである。
【００４０】
まず、制御部１０４は、重送検知ユニット１１２のマルチフィード（ＭＦ）検知を有効な状態に設定すると共にモード１からモード３のいずれかの計測モードを設定する（ステップＳＡ１）。
【００４１】
つぎに、読取制御部１０４ｃは、画像読取ユニット１１４での用紙の読取を開始する（ステップＳＡ２）。
【００４２】
つぎに、計測部１０４ａは、重送検知ユニット１１２でＭＦが検知された場合（ステップＳＡ３：Ｙｅｓ）には、ステップＳＡ１で設定された計測モードに従って、以下の計測処理を実行する（ステップＳＡ４からステップＳＡ７）。なお、ＭＦが検知されなかった場合（ステップＳＡ３：Ｎｏ）には、制御部１０４は、ステップＳＡ１６へ処理を進める。
【００４３】
具体的には、計測モードがモード１であった場合（ステップＳＡ４：モード１）には、計測部１０４ａは、重送検知ユニット１１２の超音波センサからの出力および／または画像読取ユニット１１４で読み取った用紙の画像から、図５に示すように、それぞれの重なり領域ごとに、重なり開始位置ｐｘおよび重なり長ｌｘを重送検知パターンとして計測する（ステップＳＡ５）。なお、図５において、ｐ１、ｐ２およびｐ３は、付箋等の重なり領域ごとの「重なり開始位置」を表し、ｌ１、ｌ２およびｌ３は、付箋等の重なり領域ごとの「重なり長」を表している。
【００４４】
また、計測モードがモード２であった場合（ステップＳＡ４：モード２）には、計測部１０４ａは、重送検知ユニット１１２の超音波センサからの出力および／または画像読取ユニット１１４で読み取った用紙の画像から、図６に示すように、それぞれの重なり領域ごとに、重なり長ｌｘを重送検知パターンとして計測する（ステップＳＡ６）。なお、図６において、ｌ１、ｌ２およびｌ３は、付箋等の重なり領域ごとの「重なり長」を表している。
【００４５】
また、計測モードがモード３であった場合（ステップＳＡ４：モード３）には、計測部１０４ａは、重送検知ユニット１１２の超音波センサからの出力および／または画像読取ユニット１１４で読み取った用紙の画像から、図７に示すように、それぞれの重なり領域ごとに、用紙長Ｌおよび用紙長に対する重なり長の割合ｌｘ／Ｌを重送検知パターンとして計測する（ステップＳＡ７）。なお、図７において、Ｌは「用紙長」を表し、ｌ１、ｌ２およびｌ３は、付箋等の重なり領域ごとの「重なり長」を表している。
【００４６】
図４に戻り、判定部１０４ｂは、ステップＳＡ５からステップＳＡ７のいずれかで計測した重送検知パターンと重送無効パターンファイル１０６ａに格納されている重送無効パターンについて以下の比較処理を実行して、計測した重送検知パターンが重送無効パターンに含まれるか否かを判定する（ステップＳＡ８）。
【００４７】
具体的には、モード１が指定されているときは、判定部１０４ｂは、ステップＳＡ５で計測した重なり開始位置および重なり長の重送検知パターンが、重送無効パターンファイル部１０６ａに格納されている重送無効パターンと一致するか（同じであるか）否かを判定する。例えば、重送無効パターンとして重なり開始位置ｐ１および重なり長ｌ１が格納されている場合において図８に示す用紙が搬送されたとき、判定部１０２ｂは、重なり開始位置ｐ１および重なり長ｌ１の検知パターンついては無効パターンと同じパターンであるので重送として検出せず、一方、重なり開始位置ｐ２および重なり長ｌ２の検知パターンと重なり開始位置ｐ３および重なり長ｌ３の検知パターンについては無効パターンと異なるパターンであるので重送として検出する。
【００４８】
また、モード２が指定されているときは、判定部１０４ｂは、ステップＳＡ５で計測した重なり長の重送検知パターンが、重送無効パターンファイル部１０６ａに重送無効パターンとして格納されている重なり長以下であるか否かを判定する。例えば、重送無効パターンとして重なり長ｌ３が格納されている場合において図９に示す用紙が搬送されたとき、判定部１０４ｂは、重なり長ｌ１については無効パターンの重なり長ｌ３より短く、また重なり長ｌ３については無効パターンの重なり長ｌ３と等しいので重送として検出せず、一方、重なり長ｌ４については無効パターンの重なり長ｌ３より長いので重送として検出する。
【００４９】
また、モード３が指定されているときは、判定部１０４ｂは、ステップＳＡ５で計測した用紙長および当該用紙長に対する重なり長の割合の重送検知パターンが、重送無効パターンファイル１０６ａに格納されている重送無効パターンと一致するか（同じであるか）否かを判定する。例えば、重送無効パターンとして用紙長Ｌ１および用紙長に対する重なり長の割合ｌ１／Ｌ１が格納されている場合において図１０の（Ａ）に示す用紙が搬送されたとき、判定部１０４ｂは、当該用紙の用紙長がＬ１であるがゆえ、用紙長Ｌ１と割合ｌ１／Ｌ１の検知パターンについては用紙内のどの位置に幾つあっても無効パターンと同じパターンであるので重送として検出せず、一方、用紙長Ｌ１と割合ｌ３／Ｌ１の検知パターンについては無効パターンと異なるパターンであるので重送として検出する。また、例えば、重送無効パターンとして用紙長Ｌ１および用紙長に対する重なり長の割合ｌ１／Ｌ１が格納されている場合において図１０の（Ｂ）に示す用紙が搬送されたとき、判定部１０４ｂは、当該用紙の用紙長がＬ１より長いＬ２であるがゆえ、用紙長Ｌ２と割合ｌ１／Ｌ２の検知パターンおよび用紙長Ｌ２と割合ｌ３／Ｌ２の検知パターンのいずれについても無効パターンと異なるパターンであるので重送として検出する。
【００５０】
図４に戻り、ステップＳＡ８での判定結果が「一致する」または「以下である」というものであった場合（ステップＳＡ９：Ｙｅｓ）には、読取制御部１０４ｃは、重送検知ユニット１１２での重送検知を無効と見做して、画像読取ユニット１１４に用紙の読取動作を停止させずに読取動作を継続させる（ステップＳＡ１０）。
【００５１】
また、ステップＳＡ８での判定結果が「一致しない」または「以下でない」というものであった場合、またはステップＳＡ８において重送無効パターンが重送無効パターンファイル１０６ａに格納されていない場合（ステップＳＡ９：Ｎｏ）において、「エラー停止モード」が設定されていないとき（ステップＳＡ１１：Ｎｏ）は、読取制御部１０４ｃは、画像読取ユニット１１４に用紙の読取動作を停止させずに読取動作を継続させ、出力制御部１０４ｄは、重送検知ユニット１１２での重送検知を通知する通知情報を出力部１１０へ出力する（ステップＳＡ１２）。また、「エラー停止モード」が設定されているとき（ステップＳＡ１１：Ｙｅｓ）は、読取制御部１０４ｃは、画像読取ユニット１１４に用紙の読取動作を停止させ、出力制御部１０２ｄは、重送検知ユニット１１２での重送検知を通知する通知情報を出力部１１０へ出力する（ステップＳＡ１３）。
【００５２】
つぎに、ステップＳＡ１３で出力した通知情報に対しユーザにより入力部１０８としての記憶指示ボタンが押下された場合（ステップＳＡ１４：Ｙｅｓ）には、記憶制御部１０４ｅは、ステップＳＡ５からステップＳＡ７のいずれかで計測した重送検知パターン（モード１のときは重なり開始位置と重なり長、モード２のときは重なり長の最大値、モード３のときは用紙長と用紙長に対する重なり長の割合）を、重送無効パターンとして重送無効パターンファイル１０６ａの所定の記憶領域に格納する（ステップＳＡ１５）。
【００５３】
つぎに、読取制御部１０４ｃは、画像読取ユニット１１４での用紙の読取を終了する（ステップＳＡ１６）。
【００５４】
そして、制御部１０４は、次の用紙がある場合（ステップＳＡ１７：Ｙｅｓ）には各処理部に上述したステップＳＡ２からステップＳＡ１６を実行させ、次の用紙がない場合（ステップＳＡ１７：Ｎｏ）には本メイン処理を終了する。
【００５５】
［３．本実施形態のまとめ、及び他の実施形態］
以上、本実施形態によれば、マルチフィードが検知された場合には、指定されている計測モードに従い、重送検知されたそれぞれの領域ごとに、モード１のときは重なり開始位置と重なり長、モード２のときは重なり長、モード３のときは用紙長と用紙長に対する重なり長の割合を計測し、一旦、マルチフィードエラー応答を行う。その後、オペレータから現在のマルチフィードパターンの記憶が指示（特定ボタンを押下）された場合に、モード指定に従って、先程の計測したパターンを記憶する。その後は、マルチフィードが発生した場合に、計測したパターンと事前に記憶されたマルチフィード無効パターン（モード１：重なり開始位置と重なり長、モード２：重なり長の最大値（最大重なり長）、モード３：用紙長と用紙長に対する重なり長の割合）とを比較し、同パターンでない場合には、事前に設定されたエラーロジックを実行し（エラーで停止する、またはアラーム通知のみ）、同パターンである場合には、マルチフィードとせず用紙（原稿）を受理し通常動作を続ける。すなわち、マルチフィード発生後に、指定ボタンを押下するだけという簡単操作で、現在のマルチフィードのパターン（モード１：重なり開始位置と重なり長、モード２：最大重なり長、モード３：用紙長と用紙内における重なり領域の割合）を自動で記憶し、以降の媒体（用紙）が同パターンの場合には重送と見做さないようにする。これにより、これまでのように事前にスキャナのパネルやＰＣ上のツール等で重送の無効領域を入力して設定するという煩わしさがなくなり、重送発生時の操作性が改善される。
【００５６】
さらに、本発明は、上述した実施形態以外にも、特許請求の範囲に記載した技術的思想の範囲内において種々の異なる実施の形態にて実施されてよいものである。例えば、本実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。また、装置の分散・統合の具体的形態は図示するものに限られず、その全部または一部を、各種の付加等に応じて又は機能負荷に応じて任意の単位で機能的又は物理的に分散・統合して、構成することができる。また、本明細書や図面中で示した処理手順、制御手順、具体的名称、画面例などについては、特記する場合を除いて任意に変更することができる。
【００５７】
また、画像読取装置１００に関して、図示の各構成要素は機能概念的なものであり、必ずしも物理的に図示の如く構成されていることを要しない。例えば、画像読取装置１００が備える処理機能、特に制御部１０４にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。なお、プログラムは、後述する記録媒体に記録されており、必要に応じて画像読取装置１００に機械的に読み取られる。すなわち、ＲＯＭまたはＨＤなどの記憶部１０６には、各種処理を行うためのコンピュータプログラムが記録されている。このコンピュータプログラムは、ＲＡＭにロードされることによって実行され、ＣＰＵと協働して制御部を構成する。
【００５８】
また、本発明に係る重送処理装置は、既知のパーソナルコンピュータ、ワークステーション等の情報処理装置（任意の周辺装置が接続されている情報処理装置を含む。）として構成してもよい。また、本発明に係る重送処理装置は、情報処理装置に本発明に係る重送処理方法を実現させるソフトウェア（プログラム、データ等を含む）を実装することにより実現してもよい。また、本発明に係る重送処理プログラムは、コンピュータ読み取り可能な記録媒体に格納してもよく、また、プログラム製品として構成することができる。ここで、「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【産業上の利用可能性】
【００５９】
以上のように、本発明に係る重送処理装置、重送処理方法及び重送処理プログラムは、産業上の多くの分野、特に、画像読取機構および重送検知機構を持つ画像読取装置を扱う情報処理分野や画像処理分野において実施することができ、極めて有用である。
【符号の説明】
【００６０】
１００  画像読取装置
１０２  重送処理ユニット
１０４  制御部
１０４ａ  計測部
１０４ｂ  判定部
１０４ｃ  読取制御部
１０４ｄ  出力制御部
１０４ｅ  記憶制御部
１０６  記憶部
１０６ａ  重送無効パターンファイル
１０８  入力部
１１０  出力部
１１２  重送検知ユニット
１１４  画像読取ユニット
【図１】
0005451520.tif 000002
【図２】
0005451520.tif 000003
【図３】
0005451520.tif 000004
【図４】
0005451520.tif 000005
【図５】
0005451520.tif 000006
【図６】
0005451520.tif 000007
【図７】
0005451520.tif 000008
【図８】
0005451520.tif 000009
【図９】
0005451520.tif 000010
【図１０】
0005451520.tif 000011